(57)【要約】      （修正有）【課題】ワイシャツの胸ポケットに携帯電話を入れると、ポケットが膨み垂れ下がる為に違和感を感じ、又うつむいた時に滑り落とす等の問題を解決する為、胸中央部にネクタイやボタンを外さないでも容易に携帯電話を出し入れ可能な内ポケット付ワイシャツの提供。【解決手段】ワイシャツ９のボタン３が取付られている右側のみかえし２の幅を通常より広く取り、みかえし２の裏側の胸部分に内ポケット４を設け、ポケットの底に近いみかえし２に斜めに出し入れ口５を形成、出し入れ口５の下の部分にマジックテープを更に左側のみかえし２の裏にマジックテープを設けて、両方のマジックテープを貼合せて出し入れ口５を閉じるとポケット上部と底部８が一体化する様に構成され、内ポケット４から携帯電話を出す時は，マジックテープを剥がして携帯電話を指で手前に引くと、自らの重みで滑り出でるので片手で簡単に取り出すことができる。【選択図】図１
2006138053.tif 000002
【特許請求の範囲】
【請求項１】
ワイシャツのボタン（３）が取り付けられている右側のみかえし（２）の幅を通常より広く取り、その裏地にみかえし（２）の幅に合わせた縦長の布地を縫い付けて、内ポケット（４）を設けたことを事を特徴とするワイシャツの内ポケット
【請求項２】
内ポケット（４）の中に携帯電話機（１３）をワイシャツ（９）の外からでも出し入れする事ができるように、内ポケット（４）の底に近い所のみかえし（２）に，斜めに切り込みを入れて、出し入れ口（５）を施し設けた事を特徴とする請求項１記載のワイシャツの内ポケット
【請求項３】
内ポケット（４）の出し入れ口（５）から上方に向かって挿入した携帯電話機（１３）が、滑り落ちたり、出し入れ口（５）が開いて外に飛び出す事があります、ポケットの底部（８）を戻り止めとしての機能を働らかせるために、出し入れ口（５）の下にマジックテープＡ（６）と、左側のみかえしの裏地にマジックテープＢ（７）を施し設け、出し入れ口（５）を両方のマジックテープを張合わせて封鎖することにより、ポケット上部とポケットの底部（８）を一体化して、前述のような失態が起きないようにした事を特徴とする請求項１記載のワイシャツの内ポケット
【発明の詳細な説明】
【発明の詳細な説明】
【技術分野】
【０００１】  本発明はワイシャツ姿で外出する際、携帯電話機を収納する適当なポケット不足による、不便を解消することを目的としたワイシャツのポケットに関するものである。
【背景技術】
【０００２】  今日では携帯電話機は仕事上必需品となっており外出する際には手放すことが出来なくなっています、ワイシャツ姿で仕事をするさいに、財布や名刺入れのような破損の心配がない物はズボンの後ろポケットに入れますが、携帯電話機では無理があります、やむなく胸ポケットに入れて持ち歩きます、しかし、身体のこの部分は周囲よりも一段と盛り上がっておりますので、厚みのある携帯電話機を収納すると胸ポケットが大きく膨らんで垂れ下がり、又、重量もあるためにとても違和感を覚えます、身体を前かがみにすると携帯電話機は簡単に滑り落ちて冷や汗をかくことがあります、この様な不便を解消して快適に、且つ安心して携帯電話機を持ち歩くことが出来るようにした内ポケット付きワイシャツを提供する事を目的としています、
【特許文献１】特開２００３−２３９１２４号広報
【特許文献２】特開２００３−１４７６１６号広報
【特許文献３】特開平１１−８１０１７号広報
【特許文献４】実新登録第３０９２２８１号広報
【発明の開示】
【発明が解決しようとする課題】
【０００３】  発明が解決しようとする課題を整理すると次の３項目にまとめることができる【０００４】  ▲１▼携帯電話機等の身の回り品を収納するポケット不足を解消し、重量のある携帯電話機がスベリ落ちるような失態を防ぎたい【０００５】  ▲２▼ワイシャツに設けられている通常の胸ポケットに、重量のある携帯電話機を収納すると、左右のバランスが悪く違和感を覚えると同時に、ポケットが大きく膨らんで突き出し、垂れ下がるので見やすいものではありません、ポケットに携帯電話機を収納していることを外部から気づかれる事がないようにしたい、【０００６】  ▲３▼ワイシャツの内側の胸の中央部に、重量と厚みのある携帯電話機を収納出来る内ポケットがあるととても便利です、しかし、出し入れする毎にネクタイやボタンを外さねばなりません、ネクタイやボタンを外すこと無く簡単に内ポケットに携帯電話機を出し入れする事を可能にしたい、
【課題を解決するための手段】
【０００７】  本発明は、ワイシャツ（９）に設けられている従来の胸ポケット（１１）とは別に，図３で示すようにボタン（３）が取り付けられている右側のみかえし（２）の裏地に、胸の中心の高さに合わせて内ポケット（４）を設けた、ポケットはみかえし（２）の幅に合わせて縦長に縫い付けられますが、携帯電話機はそれなりに厚みと幅がありますので、右側のみかえし（２）の幅は通常より広く取ります、内ポケット（４）は胸の中心にあり左右に盛り上がっている乳部の中間に位置しますので、携帯電話機は胸の谷間にスッポリと無理がなく収まるのです、しかし、ボタン（３）をかけてネクタイを締めた状態で、ワイシャツの内ポケット（４）に携帯電話機（１３）を出し入れする事は無理があります、したがって本発明ではポケット（４）の底に近い部分の，みかえし（２）に図１で示すように，斜めに切り込みを入れて出し入れ口（５）を設けました、携帯電話機を内ポケット（４）に入れるときは、出し入れ口（５）より上の方向に差し込む形で挿入します，しかし、内ポケット（４）に携帯電話機を挿入後に手を離すと携帯電話機は落下してしまいます、うまくポケットの底部（８）にひっ掛かったとしても出し入れ口（５）が開くために滑り出てしまいます、ポケットの底部（８）には戻り止めとしての機能を持たさねばなりませんので、図１で示すように、出し入れ口（５）の下の部分にマジックテープＡ（６）を設け，さらに図３で示すように左側のみかえし（２）の裏地にマジックテープＢ（７）を設けた、この様にして両方のマジックテープを貼り合わせることにより出し入れ口（５）が閉じて、ポケットの上部とポケットの底部（８）とが一体となり携帯電話機（１３）は、内ポケット（４）の内部に収まります、
【発明の効果】
【０００８】  本考案は上述の通り構成されているので次ぎに記載する効果を奏する。【０００９】  ▲１▼内ポケット（４）に収納された携帯電話機は，胸の左右の盛り上がっている乳部の谷間にスッポリと収まるので違和感が少なく、その形状が外から目立たないので人目を気にする事がない、【００１０】  ▲２▼マジックテープＡ（６）とマジックテープＢ（７）を張り合わせる事により、出し入れ口（５）が閉じられるので、挿入した携帯電話機を確実にポケットの底部（８）に誘導して落下を防ぐことができます、【００１１】  ▲３▼人体における胸部中央は振動には敏感な所ですから、携帯電話機の着信音を常にバイブレーター着信に切り替えておいても、着信を確実に感知する事ができます、【００１２】  ▲４▼内ポケット（４）はワイシャツ（９）の胸部の中央に設けられているので、左右のバランスが良く、重量のある携帯電話機を長時間持ち歩いても疲れません、【００１３】  ▲５▼みかえし（４）に設けた出し入れ口（５）やマジックテープＡ（６）は、ワイシャツ（９）のボタン（３）が掛けられたときに、左側のみかえし（２）の下に隠れてしまいます、更にネクタイにより覆われますので人目を気にする必要はありません
【発明を実施するための最良の形態】
【００１４】  ワイシャツ（９）の内ポケット（４）に携帯電話機を収納するときは、右側のみかえし（２）に設けた、出し入れ口（５）から上方に挿入します、次に両方のマジックテープを貼り合わせ出し入れ口（１）を閉じます、ポケットの上部とポケットの底部（８）は一体化しますので、携帯電話機はスムーズにポケットの底部（８）えと誘導され、外に滑り出ることはありません、又、携帯電話機の着信は常にバイブレーター着信に切り替えておきますと、振動に敏感な胸の中央は着信を確実に感知します、慌てる事なく落ち着いて受信すれば良いのです、内ポケット（４）より携帯電話機を取り出す時は、マジックテープを剥がして携帯電話機を指で手前に引きますと自らの重みで滑り落ちてきますから片手で簡単に取り出すことができるのです
【産業上の利用可能性】
【００１６】  本発明のワイシャツ（９）の内ポケット（４）は、厚さや重みのある携帯電話機を収納するのにとても便利です、内ポケット（４）は胸の中心部に設けられている事から左右のバランスが良く、長時間肌身離さず持ち歩くことができます、又、携帯電話機は胸の左右に盛り上がっている乳部の谷間にスッポリと収まるので、ポケットが膨らんで垂れ下がることはなく他人の目を気にする心配もありません、急に鳴り出す着信音で慌てる事もありませんし、他人に迷惑をかけるもなく静かに落ち着いて受信する事が出来るのです、片手で出し入れができますから、夏場に上着を脱いで働くサラリーマンに機能的に仕事ができるワイシャツ（１）を提供する事ができます。
【図面の簡単な説明】
【図１】  ワイシャツ（９）の右側半分の正面図
【図２】  ワイシャツ（９）の左側半分の正面図
【図３】  内ポケット（４）を設けたワイシャツ（９）の展開図
【符号の説明】
１  襟
２  みかえし
３  ボタン
４  内ポケット
５  出し入れ口
６  マジックテープＡ
７  マジックテープＢ
８  ポケットの底部
９  ワイシャツ
１０  ボタン穴
１１  胸ポケット
１２  飾りボタン
１３  携帯電話機
【図１】
2006138053.tif 000003
【図２】
2006138053.tif 000004
【図３】
2006138053.tif 000005